(57)【要約】      （修正有）【課題】購入する眼鏡がどのような工程を経て製造されたかを顧客に理解させた上で販売する方法を提供する。【解決手段】眼鏡と対を成して、デモレンズ１８にＱＲコード（登録商標）１９を貼着し、ＱＲコード１９をスマートフォンで読み取ることでＷｅｂサイトに繋がり、対象とする眼鏡フレームの製造工程や特徴を観ることが出来るように構成する。【選択図】図３
2019121297.tif 000002
【特許請求の範囲】
【請求項１】
眼鏡を販売する方法において、眼鏡と対を成してＱＲコードや特定の情報を読み出すことが出来る文字列、記号、画像、又はＵＲＬを設け、上記ＱＲコード、文字列、記号、画像、又はＵＲＬをスマートフォンやタブレット、又は携帯電話にて読み取り、対象とする眼鏡フレームの製造工程を観ることが出来るように構成していることを特徴とする眼鏡の販売方法。
【請求項２】
眼鏡を販売する方法において、眼鏡と対を成してＱＲコードや特定の情報を読み出すことが出来る文字列、記号、画像、又はＵＲＬを設け、上記ＱＲコード、文字列、記号、画像、又はＵＲＬをスマートフォンやタブレット、又は携帯電話にて読み取り、対象とする眼鏡フレームの特徴を観ることが出来るように構成していることを特徴とする眼鏡の販売方法。
【請求項３】
眼鏡を掲載したチラシやパンフレットに、該眼鏡と対を成してＱＲコード、文字列、記号、画像、又はＵＲＬを表示した請求項１、又は請求項２記載の眼鏡の販売方法。
【発明の詳細な説明】
【技術分野】
【０００１】
本発明は眼鏡（サングラスも含む）を販売する方法に関するものである。
【背景技術】
【０００２】
眼鏡にも色々な種類があり、各自の好みに応じて自分に合ったデザインの眼鏡フレームを選び、この眼鏡フレームに視力に適合したレンズを嵌めている。また、複数の眼鏡を所持して用途に応じて使い分ける人も多い。
眼鏡フレームは大別して樹脂製と金属製があり、その製造工程は大きく違っている。樹脂製の眼鏡フレームと金属製の眼鏡フレームとでは、その外観上のデザインにも大きな違いがあり、その為に好みも大きく分かれるのが実状である。
【０００３】
勿論、一口に樹脂製フレームといっても、具体的な材質並びにその細部ともなれば色々な違いがあり、作り方にはそれぞれの特徴がある。同じく、金属製フレームといっても、その材質はチタンやステンレスなど色々な違いがあり、その為に細部の作り方には個々の特徴がある。
【０００４】
ところで、眼鏡フレームは顔に掛ける為にそのデザインは重要であり、その為に近年では意匠性に優れたフレームが製作されており、その製作工程は複雑化する傾向にある。
しかし、眼鏡を購入する一般消費者は外観の良し悪し（好み）によって決め、その製造において工夫を凝らした工程から成っているが、この工程を外観から認識することは容易でない。消費者にとってみれば、製造工程が如何様であっても該工程を基にして作られる眼鏡フレームの外観を観て判断している。
【０００５】
眼鏡フレームの製造方法に関する技術は多数存在している。例えば、特開２０１６−１８４１４６号に係る「眼鏡フレームおよびこの眼鏡フレームのテンプルの製造方法」は、可撓性化粧シート材の端部が外部に飛び出さず、また、可撓性化粧シート材をしっかりと取り付けることができる眼鏡フレーム及びこの眼鏡フレームのテンプル部の製造方法である。
テンプル部が、テンプル本体部と、このテンプル部本体を被覆するように設けられた天然皮革シート材とを備える眼鏡フレームであって、前記テンプル部本体は、金属、プラスチック、動物の骨格、角等の剛性材料からなり、そのこめかみに対向する面に沿って長手方向に連続する凹溝が設けられていて、天然皮革シート材は、その幅方向の両端が、凹溝内に収容されるようにテンブプル部本体に巻回状態で接着されており、かつ、剛性材料からなる押さえ部材の嵌合突条が、天然皮革シート材の幅方向の両端部を押さえつつ凹溝内に嵌り込み、押さえ部材が、凹溝の長手方向両端でテンプル部にねじ固着されている。    
【０００６】
特開２０１３−２５０４８２号に係る「眼鏡フレームの製造方法」は、表面処理工程を簡素化し、より多彩な装飾効果を実現できる眼鏡フレームの製造方法である。
そこで、眼鏡フレームを平面的に展開した形態のプレフレームを成形し、プレフレームを曲げることにより立体的な眼鏡フレームを製造する方法であって、平面的なプレフレームの状態で表面処理として、印刷，塗装，メッキ等の母材に被膜を形成する表面処理、母材自体を加工して装飾を施す表面処理と、母材に装飾材を貼り付ける表面処理等による装飾を施し、印刷後に立体的に成形する。
【０００７】
上記文献の他にも多くの公開特許文献は知られている。しかし、一般消費者は購入したい眼鏡フレームがどのような工程を経て作られているかを知る為に、特許文献を読むことはしない。
眼鏡フレームの製造工程をフレームの外観から知ることは容易でないが、同じく眼鏡フレームの機能及び特徴もその外観から知ることは出来ない。
【特許文献１】特開２０１６−１８４１４６号に係る「眼鏡フレームおよびこの眼鏡フレームのテンプルの製造方法」
【特許文献２】特開２０１３−２５０４８２号に係る「眼鏡フレームの製造方法」
【発明の開示】
【発明が解決しようとする課題】
【０００８】
今日、色々な眼鏡フレームが市販され、消費者は軽くて長時間掛けていても疲れにくいといった機能性はもとより、その外観・デザインを基にして購入するが、該眼鏡フレームが作られる工程を知ることはない。特に、デザインに凝って多くの工程から成っている場合であっても、その工程が理解されることはない。
本発明が解決しようとする課題はこの問題点であり、眼鏡を購入するに際して、その製造工程を観ることが出来るように、また該眼鏡の機能並びに特徴を観ることが出来るようにした眼鏡の販売方法を提供する。
【課題を解決するための手段】
【０００９】
本発明に係る眼鏡の販売方法とは、気に入った眼鏡が如何なる工程にて作られているかを知ることが出来るようにしている。ここで、対象とする眼鏡は特に限定せず、樹脂製の眼鏡フレームであり、又は金属製の眼鏡フレームでも構わない。またレンズを保持する為のフロント部のリムはリング状のフルリム形態、又は下側に水糸などの高張力糸を組み合せたハーフリム形態、さらにはリムを持たない縁なしリム形態とする場合もある。
一方、眼鏡フレームに付される装飾は表面をメッキしたり、塗装したり、又は印刷することもあり、また宝石などの別の装飾品を取付けることも可能である。
【００１０】
ところで、眼鏡フレームは販売される為に、顧客の目に留まるように店舗の棚、又はショウウインドウに配置される。そして、販売される眼鏡フレームにはＱＲコードが組み合わされ、該ＱＲコードをスマートフォンなどでスキャンするならば、専用のＷｅｂサイトなどにアクセスして、眼鏡フレームの製造工程を観ることが出来るようにしている。
ここで、上記ＱＲコードが付される箇所は特に限定はしないが、販売される眼鏡フレームであることが分かるように、対を成していることが必要である。例えば、眼鏡フレームのリムに嵌っているデモレンズ表面に貼り付けられる。
【００１１】
また、ＱＲコードを読み取ることで、眼鏡フレームの製造工程のみならず、その品質や機能に関しても知ることが出来る内容としている。
一方、ＱＲコードを読み取る為の手段としては上記スマートフォンの他にタブレットや携帯電話を使用することもあり、読み取られる対象はＱＲコードに限らず文字列、記号、画像、又はＵＲＬとすることも可能である。
【発明の効果】
【００１２】
本発明は眼鏡を購入するに際して、その製造工程を観ることが出来る。すなわち、展示している眼鏡フレームと対を成してＱＲコードなどが配置され、このＱＲコードなどをスマートフォンなどで読取るならば、Ｗｅｂサイトへアクセスして、対象となる眼鏡フレームの製造工程を知ることが出来る。同時に、眼鏡フレームの品質や機能なども知ることが出来る。
顧客にとって、高額な眼鏡フレームであっても、その製造工程を知ることで該眼鏡フレームの価格（コスト）を理解することが出来、顧客からの大幅な値引きを抑える効果がある。
【００１３】
一般消費者である顧客にとって、眼鏡フレームの製造工程に関しては全くの無知であり、非常に多くの工程を経て製造される眼鏡フレームの作り方を知ってもらうことは、製造メーカとして、また小売店にとって大切であると共に、眼鏡の販売促進に結び付く。
特に、込み入った多くの工程を経て製造される特別な眼鏡フレームであっても、ダンピングに歯止めをかける効果があり、顧客は納得した上で眼鏡フレームの購入が出来る。
【図面の簡単な説明】
【００１４】
【図１】金属製の眼鏡フレームを示す具体例。
【図２】樹脂製の眼鏡フレームを示す具体例。
【図３】デモレンズにＱＲコードを貼り付けている具体例。
【図４】ＱＲコードをスマートフォンで読み取ってＷｅｂサイトを開いた眼鏡フレームの製造工程を示す具体例。
【発明を実施するための形態】
【００１５】
図１は金属製の眼鏡フレーム１を表している実施例であり、該眼鏡フレーム１はフロント部２と２本のツル３，３で構成している。フロント部２はリング状のリム４，４が中央の連結部材５にて左右対称に連結され、連結部材５の上方にはワタリ６を設けて両リム４，４を繋いでいる。そして、リム４，４の外側には概略Ｌ形をしたヨロイ７，７がロウ付けされ、該ヨロイ７，７には上記ツル３，３が蝶番８，８を介して繋がれ、ツル３，３は折畳むことが出来る。該ツル３，３の先端部には概略Ｌ形をした樹脂製のモダン１０，１０が挿着されている。
そして、リム４，４の内側であり、連結部材５の下側には鼻当てパット９，９が取付けられている。
【００１６】
図１に示す金属製の眼鏡フレーム１はあくまでも１具体例に過ぎず、他に色々な形態をした眼鏡フレーム１，１・・・が無数に存在している。
ところで、眼鏡フレーム１は金属製の線材を材料として製作され、その為に所定の太さの線材を用いて必要な長さに切断し、これを金型で圧縮成形（鍛造加工）される。勿論、部品によっては鍛造加工でなく、引抜き加工又は押出し加工したり、曲げ加工を必要とされる場合もある。
【００１７】
上記ツル３であれば、所定の太さと長さを有す線材を用い、これを金型に設けた凹溝にセットして鍛造加工することで所定の形状に成形される。この場合も、一種類の金型で成形出来る場合もあるが、ツル３の形状によっては複数の金型を用いて成形する場合も多く、また所定のツル寸法からはみ出した余分な肉は後で削除される。
そして、Ｌ形をしたヨロイ７は、真直ぐに製作した部材から金型を用いて曲げ成形される。
【００１８】
一方、リム４はその内周にレンズが嵌る凹溝１１を有しているが、この凹溝１１はストレートの線材を引抜き加工にて成形することが出来る。そして、凹溝１１を有すストレートな線材は、型に沿って曲げ成形されるが、線材の戻り変形（スプリングバック）を考慮して曲げられる。すなわち、余分に大きく曲げ成形し、型から外された場合に所定のリム４のリング形状となるように曲げ加工される。
また、連結部材５及びワタリ６は所定寸法の線材を鍛造加工にて製作することが出来る。
【００１９】
上記、ツル３，３、リム４，４、ヨロイ７，７、連結部材５、そしてワタリ６が所定の寸法に製作されたならば、これらの各部品はロウ付けされて図１に示すような眼鏡フレーム１として完成する。完成した眼鏡フレーム１は表面に付いた細かいキズを落とする為に、バフ研磨にて磨かれる。勿論、ドラム内に研磨材を入れて回転することで表面を磨くことが出来るバレル研磨を施すことも可能である。
【００２０】
図２は樹脂製の眼鏡フレーム１２を示す具体例である。該眼鏡フレーム１２はフロント部１３と２本のツル１４，１４から成り、ツル１４，１４はフロント部１３の両側に設けた継手を介して折畳み出来るように連結している。
ところで、上記フロント部１３は連結部１６を中心として左右にリム１５，１５を有し、両リム１５，１５と連結部１６は一体的に成形され、またリム１５，１５には一体的に成形された鼻当てパット１７，１７を有している。
すなわち、樹脂製のフロント部１３は所定形状のキャビティを持った金型に溶融した樹脂を流し込んで成形され、一定時間を経過して硬化したところで金型を開いて取り出される。
【００２１】
同じく、ツル１４も金型のキャビティに溶融した樹脂を流し込んで成形される。共に成形されたフロント部１３にツル１４，１４が組み付けされて上記図２に示す樹脂製の眼鏡フレーム１２が完成する。
ここで、フロント部１３の両側、及びツル１４の基部には継手と成る蝶片が組み込まれるが、樹脂を流し込むことで内部に埋着されるように、金型のキャビティには前もってセットされている。勿論、成形したフロント部１３とツル１４の一部を加熱して軟化することで、上記蝶片を埋着することも可能である。
完成した樹脂製の眼鏡フレーム１２は金属製の眼鏡フレーム１の場合と同じように、表面の細かいキズをバフ研磨にて磨き落とされる。
【００２２】
ところで、図１に示す金属製の眼鏡フレーム１、及び図２に示す樹脂製の眼鏡フレーム１２を製造する一連の工程を見ることが出来るように、ＱＲコードを付着している。ＱＲコードが付着される個所は限定しないが、例えば販売される眼鏡フレーム１，１２のデモレンズの表面に貼着することが出来る。
また、眼鏡フレーム１，１２を展示する台の表面にＱＲコードを貼着することも可能であり、あくまでも眼鏡フレーム１，１２と対を成すように付着している。
【００２３】
図３は図１に示す眼鏡フレーム１のリムに嵌ったデモレンズ１８にＱＲコード１９を貼着した場合を表している。ところで、この眼鏡フレーム１に興味を持った顧客はデモレンズ１８に貼着されているＱＲコード１９を自分のスマートフォンでスキャンして読み取ることが出来、そうすればＷｅｂサイトへ繋がってこの眼鏡フレーム１の製造工程を見ることが出来る。また、眼鏡フレーム１の品質や機能を観ることも出来る。
例えば、退色試験の結果、眼鏡を着用した際の掛け心地を証明するテストデータなどをＷｅｂサイトに繋いで観ることが出来るようにしている。
【００２４】
図４はＱＲコード１９をスマートフォンにて読み取ってＷｅｂサイトを開いた場合の眼鏡フレーム１を構成しているツル３を製造する場合の一連の工程を表している。
（ａ）は、ツル（テンプル）を成形（鍛造加工）する為の金型を製作する場合で、眼鏡フレームの部品成形にはツルに限らず、前以て成形用金型の製作が必要である。
（ｂ）は、製作した金型を用いてツル（テンプル）を成形する工程を示している。
（ｃ）は、出来上がったツルなどが図面通りの形状に成っていることを確認し、所定の寸法・形状に成形されていない場合には、図面に合わせて修正加工する。
（ｄ）は、眼鏡フレームを構成する部品はツル以外に、リムや連結部材などから成っているが、これら成形された各部品はロウ付けによって眼鏡フレームに組付けされる工程を示している。
（ｅ）は、組付けされた眼鏡フレームの表面に付いた細かいキズをバフ研磨して除去する工程。
同じくリム４を製造する工程、連結部材４の製造工程、ワタリの製造工程などもＷｅｂサイトに掲載することが出来る。
【００２５】
顧客が興味を持って購入する眼鏡フレームに関して、その製造工程を知ることで、該眼鏡フレームにより愛着を感じ取ることが出来る。しかも比較的高額と成る根拠を理解することが出来る。
特に、図１に示す眼鏡フレーム１、図２に示す眼鏡フレーム１２は一般的な形態であるが、凝った形状や装飾が施され、また材質も特殊なものが使用された高級な眼鏡フレームを構成する場合、付着したＱＲコードをスマートフォンにて読み取ることで、顧客は満足して眼鏡フレームを購入することが可能となる。
【００２６】
上記実施例は眼鏡フレームと対を成してＱＲコードを付設した場合を説明したが、販売する眼鏡フレームをチラシやパンフレットに掲載する場合も多く、このチラシやパンフレットに掲載した眼鏡フレームの写真と対を成してＱＲコードを表示する場合もある。
ところで、ＱＲコードを読み取る手段はスマートフォンに限らず、携帯電話やタブレットを用いることも可能であり、またＱＲコードに代わって文字列、記号、画像、ＵＲＬを用いることも出来る。
【符号の説明】
【００２７】
１   眼鏡フレーム
２   フロント部
３   ツル
４   リム
５   連結部材
６   ワタリ
７   ヨロイ
８   蝶番
９   鼻当てパット
10   モダン
11   凹溝
12   眼鏡フレーム
13   フロント部
14   ツル
15   リム
16   連結部
17   鼻当てパット
18   デモレンズ
19   ＱＲコード
【図１】
2019121297.tif 000003
【図２】
2019121297.tif 000004
【図３】
2019121297.tif 000005
【図４】
2019121297.tif 000006